(57)【特許請求の範囲】
【請求項１】
シート基材の一方に印字層が設けられ他方に感熱性粘着層が設けられてなるシート材の搬送方向に沿って、
前記シート材の前記印字層に印字する印字部と、
前記印字部で印字された前記シート材を所定長さで切断する切断部と、
前記印字部で印字され前記切断部により前記所定長さに切断された前記シート材を一時的に保留する一時保留部であって、前記所定長さに切断された前記シート材を巻き取る筒状の巻取り空間を有し、前記所定長さに切断された前記シート材を一時的に保留する一時保留部材と、前記所定長さに切断された前記シート材を前記巻取り空間へ搬入し、前記所定長さに切断された前記シート材が所望の長さ保留された後、前記巻取り空間内に搬入されるときの前記シート材の後端が前端となって該シート材を前記巻取り空間から排出させる搬送ローラと、前記巻取り空間内に設けられ、前記巻取り空間へ搬入された前記シート材を前記一時保留部材の周面との間に挟持しながら前記搬送ローラの回転速度及び回転方向に同期して回転駆動する巻取りローラと、前記巻取りローラを回転駆動する駆動手段と、前記一時保留部材の内周面と前記巻取りローラの周面とを圧接させる圧接手段と、からなる一時保留部と、
前記搬送ローラと前記巻取りローラとの同期回転により前記一時保留部から排出される前記シート材の前記感熱性粘着層を熱活性化する熱活性化部と、を備え、
前記熱活性化部による熱活性化を行う前に印字処理と切断処理とを済ませた前記シート材を前記一時保留部において一時保留し、一時保留した前記シート材を前記一時保留部から前記熱活性化部に向けて送出させながら前記熱活性化部による前記熱活性化を行うことを特徴とするプリンタ。
【請求項２】
前記一時保留部材は、前記巻取りローラに対して近接離間する方向に移動可能に設けられ、前記圧接手段は、前記一時保留部材を前記巻取りローラに圧接させるように付勢することを特徴とする請求項１に記載のプリンタ。
【発明の詳細な説明】
【技術分野】
【０００１】
本発明は、印字されたシート材を巻き取って一時的に保留する一時保留構造を備えるプリンタに関する。
【背景技術】
【０００２】
物品に貼付されて用いられるラベルとしては、シート状基材の一方の面に印字層が設けられ他方の面に感熱性粘着層が設けられてなるシート材によって発行されるラベルが提案されている。
【０００３】
このような感熱性粘着層を有するラベルを印字するプリンタは、一般に、シート材を供給するシート供給装置と、このシート供給装置から供給されたシート材の印字層に各種情報を印字する印字装置と、この印字装置によって印字されたシート材を切断する切断装置と、シート材の感熱性粘着層を熱活性化する熱活性化装置とを備えて構成されている。
【０００４】
そして、熱活性化装置を備える従来のプリンタとしては、切断装置と熱活性化装置との間に、シート材を撓ませて誘導する誘導装置が配置された構成が開示されている（例えば、特許文献１参照。）。
【０００５】
また、印字されたシート材を、装置内に一時的に保留する構造としては、印字されたシート材を自重で垂れ下がらせて保留する空間を備える従来のプリンタが開示されている（例えば、特許文献２参照。）。
【特許文献１】特開２００３−３１６２６５号公報（図１）
【特許文献２】特開２００１−２６１２２８号公報（図１）
【発明の開示】
【発明が解決しようとする課題】
【０００６】
しかしながら、特許文献１，２に開示されているようなシート材の一時保留機構は、印字やシート切断などの所定の処理が完了するまで、所定の空間に、印字されたシート材をＵ字状もしくは蛇腹状に撓ませておく、または印字されたシート材を垂れ下げておく方法を採用している。
【０００７】
このため、シート材を保留するために大きな空間を用意しなければならないといった問題が生じる。
【０００８】
また、シート材の保留のための空間を大きくすると、装置全体の大型化を招くという問題がある。このため、特許文献１，２に開示されているような一時保留機構は、片手で容易に持ち運ぶことが可能な小型のモバイルプリンタに適用することができなかった。
【０００９】
これらの問題の対策として、印字装置と熱活性化装置との間に、印字されたシート材を巻き取ることで一時的に保留するとともに、巻き取られたシート材が引き出されることで熱活性化装置に搬出する一時保留部が設けられる構成が考えられている。この一時保留部には、印字装置で印字されたシート材を巻き取る円筒状の巻取り空間を有する一時保留部材が配置されている。
【００１０】
しかしながら、この一時保留部は、印字装置で印字されたシート材を搬送する搬送ローラが回転駆動することで、この搬送ローラによって、固定された一時保留部材の巻取り空間内にシート材が押し込まれて、外周側から内周側に向かって順次巻き取られている。このとき、巻取り空間内に巻かれる最外周側のシート材を、搬送ローラによって押し込むことで、シート材が巻き取られている。
【００１１】
このため、巻取り空間内に巻き取られたシート材の長さが次第に大きくなるのに伴って、搬送ローラと、巻取り空間内のシート材の前端との間の、シート材の長さに沿った距離が大きくなり、搬送ローラによる押し込み力が、シート材の長さ方向に亘って伝わり難くなり、シート材が途中で撓んでしまうことがある。
【００１２】
すなわち、上述の一時保留部は、シート材自体の剛性、いわゆる腰の強さによって、巻取り空間内にシート材を円滑に巻き取れないおそれがある。特に、幅が３０ｍｍ程度の比較的幅狭のシート材を用いた場合には、シート材自体の腰が弱く、巻取り空間内で巻き取られる途中で座屈してしまい、良好に巻回されない不都合がある。
【００１３】
また、上述の一時保留部では、巻取り空間内で巻回されるシート材が、巻取り空間内で、感熱性粘着層側を内周側に向けて巻き取られる。そして、巻取り空間内を進行するシート材の前端は、巻取り空間内で１周された後に、外周側のシート材の感熱性粘着層に当接して、感熱性粘着層によって比較的大きな摩擦抵抗を受けてしまう。このため、シート材の巻取り動作が停止してしまい、巻取り空間内に良好に巻き取られず、巻取り空間内に巻取り可能なシート材の長さが乏しいという問題がある。
【００１４】
したがって、一時保留部材では、内径が２５ｍｍ程度の筒状の巻取り空間に対して、例えば、幅３０ｍｍから５０ｍｍ程度のシート材を進入させることで、巻取り空間内で１周程度が巻回され、長さが１００ｍｍ程度のシート材を巻き取ることしかできない。
【００１５】
また、巻取り空間内に巻き取られるシート材を円滑にガイドする対策として、一時保留部材に、シート材をガイドする渦巻き状のガイド部を樹脂材料で一体成形することも考えられる。しかしながら、一時保留部材にガイド部を一体成形した場合には、一時保留部材の内周面の曲率半径よりもガイド部の曲率半径が小さくなり、シート材の搬送負荷が増加してしまうので、ガイド部を一体形成することで、シート材が巻き取られる長さ、すなわち巻取り可能量が少なくなってしまう不都合がある。
【００１６】
そこで、本発明は、一時保留部材の小型化を図るとともに、シート材の巻取り動作の信頼性を向上し、一時保留部材の巻取り空間内にシート材が巻き取られる長さを延長することができる一時保留構造を備えるプリンタを提供することを目的とする。
【課題を解決するための手段】
【００１７】
上述した目的を達成するため、本発明のプリンタに係る一時保留構造は、所定長さに切断されたシート材を巻き取る筒状の巻取り空間を有し、前記所定長さに切断された前記シート材を一時的に保留する一時保留部材と、前記所定長さに切断された前記シート材を前記巻取り空間へ搬入し、前記所定長さに切断された前記シート材が所望の長さ保留された後、前記巻取り空間内に搬入されるときの前記シート材の後端が前端となって該シート材を前記巻取り空間から排出させる搬送ローラと、前記巻取り空間内に設けられ、前記巻取り空間へ搬入された前記シート材を前記一時保留部材の周面との間に挟持しながら前記搬送ローラの回転速度及び回転方向に同期して回転駆動する巻取りローラと、前記巻取りローラを回転駆動する駆動手段と、前記一時保留部材の内周面と前記巻取りローラの周面とを圧接させる圧接手段とを備える。
【００１８】
以上のように構成した本発明に係る一時保留構造によれば、一時保留部材の巻取り空間に進入したシート材が、一時保留部材の内周面に沿って進行し、一時保留部材の内周面と巻取りローラの周面とで挟持される。一時保留部材と巻取りローラとで挟持されたシート材は、駆動手段によって巻取りローラが回転駆動されるのに伴って良好に進行されて、一時保留部材の内周面に沿って円滑に巻き取られる。
【００１９】
また、本発明のプリンタに係る他の一時保留構造は、所定長さに切断されたシート材を巻き取る筒状の巻取り空間を有し、前記所定長さに切断された前記シート材を一時的に保留する一時保留部材と、前記所定長さに切断された前記シート材を前記巻取り空間へ搬入し、前記所定長さに切断された前記シート材が所望の長さ保留された後、前記巻取り空間内に搬入されるときの前記シート材の後端が前端となって該シート材を前記巻取り空間から排出させる搬送ローラと、前記巻取り空間内に設けられ、前記搬送ローラの回転速度及び回転方向に同期して回転駆動する巻取りローラと、前記巻取りローラを回転駆動する駆動手段と、前記巻取り空間へ搬入された前記シート材を前記巻取ローラの周面との間に挟持しながら前記巻取りローラに圧接される圧接部材と、前記圧接部材と前記巻取りローラの周面とを圧接させる圧接手段とを備える。
【００２０】
以上のように構成した本発明に係る一時保留構造によれば、一時保留部材の巻取り空間に進入したシート材が、一時保留部材の内周面に沿って進行し、圧接部材と巻取りローラの周面とで挟持される。圧接部材と巻取りローラとで挟持されたシート材は、駆動手段によって巻取りローラが回転駆動されるのに伴って良好に進行されて、一時保留部材の内周面に沿って円滑に巻き取られる。
【００２１】
また、本発明に係る一時保留構造が備える一時保留部材は、巻取りローラを外部に露出させるように分割可能に組み合わせられた複数の部材からなる。この構成によれば、巻取りローラの回転によって一時保留部材の内周面に沿って巻き取られるシート材に、いわゆる紙詰まり等の不具合が生じた場合であっても、一時保留部材のみを分解することで、巻取りローラが露出されることで、不具合を速やかに解消することが可能になり、一時保留部のメンテナンスの作業性が向上される。
【発明の効果】
【００２３】
上述したように本発明によれば、一時保留部材の小型化を図るとともに、シート材の巻取り動作の信頼性を向上し、一時保留部材の巻取り空間内にシート材を円滑に巻き取ることを可能にし、巻取り空間内に巻き取られるシート材の長さを延長することができる。
【発明を実施するための最良の形態】
【００２４】
以下、本発明の具体的な実施形態について、図面を参照して説明する。
【００２５】
本発明に係るプリンタの一例として、物品に各種情報を表示するために物品に貼り付けるラベルを発行する際に用いられるラベル発行装置を挙げて説明する。
【００２６】
本実施形態のラベル発行装置で用いられるシート材は、シート状基材と、このシート状基材の表面側に設けられた感熱性印字層と、シート状基材の裏面側に設けられた感熱性粘着層とを備えて構成されている。なお、シート材としては、必要に応じて、シート状基材と感熱性印字層との間に、シート状基材の一方側の層から他方側の層への伝熱を遮断するための断熱層が設けられた構成のものが用いられてもよい。
【００２７】
（第１の実施形態）
図１に示すように、第１の実施形態のラベル発行装置１は、図１中矢印Ｌ方向であるシート材５の搬送方向に沿って、シート材５を供給するシート供給部１１と、シート材５の感熱性印字層に文字等の各種情報を印字する印字部１２と、この印字部１２で印字されたシート材５を所定長さで切断する切断部１３と、印字部１２で印字されたシート材５を一時的に保留する一時保留部１４と、この一時保留部１４から供給されたシート材５の感熱性粘着層を熱活性化する熱活性化部１５と、装置外方にシート材５を排出する一対の排出ローラ１６ａ，１６ｂとを備えている。
【００２８】
シート供給部１１は、シート材５が巻回された供給ロール１１ａが回転自在に装着されており、例えば外径が５０ｍｍ程度の供給ロール１１ａからシート材５を繰り出して供給する。
【００２９】
印字部１２は、いわゆるサーマルプリンタであって、シート材５の感熱性印字層を感熱させるためのサーマルヘッド１２ａと、このサーマルヘッド１２ａに圧接されるプラテンローラ１２ｂとを有している。印字部１２は、シート供給部１１から供給されたシート材５をサーマルヘッド１２ａとプラテンローラ１２ｂとの間に挟んで印字するとともに搬送する。
【００３０】
切断部１３は、印字部１２から搬送されたシート材５を所望の長さで切断するためのカッター１３ａと、このカッター１３ａを移動するカッター移動機構（不図示）とを有している。
【００３１】
一時保留部１４は、印字部１２側から搬送されたシート材５を搬送する一対の搬送ローラ１８ａ，１８ｂと、これら搬送ローラ１８ａ，１８ｂを回転駆動するローラ駆動機構（不図示）と、印字部１２で印字されたシート材５を一時的に保留する一時保留部材２１と、この一時保留部材２１内に搬入されたシート材５を巻き取る巻取りローラ２２と、一時保留部材２１を巻取りローラ２２に押圧させるためのコイルバネ２７とを有している。
【００３２】
一時保留部材２１は、例えば樹脂材料によって形成されており、搬送ローラ１８ａ，１８ｂによって搬入されたシート材５が巻き取られる円筒状の巻取り空間２１ａを有している。この一時保留部材２１には、搬送ローラ１８ａ，１８ｂに隣接する位置に、巻取り空間２１ａに連続するシート通路２１ｂが設けられている。なお、巻取り空間２１ａは、内径が２５ｍｍ程度に形成され、幅がシート材５の幅よりも大きく形成されている。
【００３３】
巻取り空間２１ａは、幅がシート材５の幅よりも大きく形成されることによって、供給ロール１１ａに巻回されたシート材５の巻き位置が幅方向に振れる、いわゆる幅方向の巻きズレが生じた場合であっても、巻取り空間２１ａの幅方向の側壁にシート材５の幅方向の側端が当接することが避けられ、シート材５を円滑に巻き取ることが可能にされている。
【００３４】
そして、一時保留部材２１は、巻取りローラ２２に対して近接離間する方向に移動可能に支持されており、コイルバネ２７によって押圧されることで、一時保留部材２１の内周面が巻取りローラ２２の周面に当接するように付勢されている。
【００３５】
巻取りローラ２２は、一時保留部材２１の巻取り空間２１ａ内に回転可能に配置されている。巻取りローラ２２は、回転軸２２ａに支持されており、この回転軸２２ａを介して回転駆動機構２８によって正転方向および逆転方向に回転可能にされている。また、回転駆動機構２８は、搬送ローラ１８ａ，１８ｂの回転速度、回転方向に同期して、巻取りローラ２２を回転駆動する。
【００３６】
また、巻取りローラ２２は、巻取り空間２１ａの中心を挟んで、一時保留部材２１のシート通路２１ｂの入出口の位置とほぼ対向する位置で、一時保留部材２１の内周面に当接するように配設されている。すなわち、巻取り空間２１ａ内に搬入されたシート材５は、一時保留部材２１の内周面に沿って半周程度進行した位置で、巻取りローラ２２の周面と一時保留部材２１の内周面とで挟持されて、巻取りローラ２２が回転駆動されることで、シート材５が進行されて一時保留部材２１の内周面に沿って円滑に巻き取られる。
【００３７】
また、巻取りローラ２２の周面には、複数のリング部材２３が所定の間隔をあけて配列されることで、シート材５の感熱性粘着層との接触面積が低減されており、巻き取られたシート材５が巻取りローラ２２の周面から容易に引き離されるように構成されている。なお、巻取りローラ２２は、幅が、使用するシート材５の最大幅よりもやや大きい５４ｍｍ程度で、外径が１７ｍｍ程度に形成されている。
【００３８】
熱活性化部１５は、シート材５の感熱性粘着層を熱活性化する熱活性化ヘッド１５ａと、この熱活性化ヘッド１５ａに圧接されるプラテンローラ１５ｂとを有している。この熱活性化部１５は、一時保留部１４から搬出されたシート材５を熱活性化ヘッド１５ａとプラテンローラ１５ｂとの間に挟んで熱活性化するとともに搬送する。熱活性化ヘッド１５ａとしては、印字部１２が備えるサーマルヘッド１２ａと同様のものが用いられており、図示しないが、シート材５の搬送方向に直交する幅方向に沿って複数の発熱素子が配設されている。
【００３９】
排出ローラ１６ａ，１６ｂは、熱活性化部１５に対して、シート材５の搬送方向の下流側に配置されており、ローラ駆動機構（不図示）によって回転駆動されることで、熱活性化部１５で熱活性化されたシート材５を装置外方に排出する。
【００４０】
以上のように構成されたラベル発行装置１について、印字部１２で印字されたシート材５が一時保留部１４に一時的に保留される動作を説明する。
【００４１】
まず、ラベル発行装置１は、シート供給部１１からシート材５が供給され、印字部１２によってシート材５の印字層に印字され、プラテンローラ１５ｂによって一時保留部１４に搬送される。
【００４２】
一時保留部１４に搬送されたシート材５は、搬送ローラ１８ａ，１８ｂによってシート通路２１ｂに沿って巻取り空間２１ａ内に搬入される。巻取り空間２１ａ内に搬入されたシート材５の前端は、一時保留部材１４の内周面に沿って進行し、一時保留部材２１の内周面と巻取りローラ２２との間で挟持される。
【００４３】
そして、一時保留部材２１と巻取りローラ２２とで挟持されたシート材５は、巻取りローラ２２の回転に伴って良好に進行されて、巻取り空間２１ａ内にシート材５が１周巻回されたとき、一時保留部材２１の内周面に沿って巻回されたシート材５の内周面に沿ってシート材５の前端が更に進行し、一時保留部材２１内に円滑に巻き取られる。このとき、巻取りローラ２２が回転することによって、巻取り空間２１ａに巻回されたシート材５の最内周側に位置するシート材５の前端が、シート材５の内周側に沿って押し込まれて巻き取られる。
【００４４】
この一時保留部１４では、例えば、幅２８ｍｍから５２ｍｍ程度のシート材５を進入させることで、巻取り空間２１ａ内で２周程度が巻回され、長さが２００ｍｍ程度のシート材５が良好に巻き取られた。
【００４５】
続いて、ラベル発行装置１は、シート材５が切断部１３によって切断されて所望の長さのシート材５が保留された後、一時保留部１４の一対の搬送ローラ１８ａ，１８ｂおよび巻取りローラ２２が同期して共に逆転方向に駆動されることで、一時保留部材２１の巻取り空間２１ａ内に搬入されるときのシート材５の後端が、巻取り空間２１ａから搬出されるシート材５の前端となって、一時保留部１４から熱活性化部１５に搬送される。そして、一時保留部１４から熱活性化部１５に搬送されたシート材５は、熱活性化層が熱活性化されて、ラベル発行装置１から排出される。
【００４６】
上述したように、ラベル発行装置１によれば、一時保留部材２１の巻取り空間２１ａ内に、シート材５を巻き取る巻取りローラ２２が設けられ、この巻取りローラ２２に一時保留部材２１の内周面が圧接されて設けられたことによって、巻取りローラ２２と一時保留部材２１との間でシート材５の前端側が挟持されて巻取り空間２１ａ内に引き込まれるので、巻取りローラ２２にシート材５を巻き取ることができる。このラベル発行装置１では、搬送ローラ１８ａ，１８ｂによってシート材５が巻取り空間２１ａ内に押し込まれる作用に加えて、巻取り空間２１ａ内に進入したシート材５の前端側が、巻取りローラ２２と一時保留部材２１の内周面との間に挟持されて巻取り空間２１ａ内に円滑に引き込まれるので、シート材５の巻取り動作の信頼性を向上することができる。
【００４７】
このため、このラベル発行装置１によれば、巻取り空間２１ａ内にシート材５が円滑に巻き取られ、一時保留部材２１の小型化を図るとともに、巻取り空間２１ａに巻き取られるシート材５の長さを延長することができる。したがって、ラベル発行装置１は、印字部１２で連続して印字可能なシート材５の長さが延長され、取り扱われるラベルシートの長さの自由度が増し、ラベル発行装置１の用途を拡大することができる。
【００４８】
（第２の実施形態）
次に、他の一時保留部を備える第２の実施形態のラベル発行装置について、図面を参照して説明する。第２の実施形態のラベル発行装置は、一時保留部の一部の構造を除く基本構造が、第１の実施形態のラベル発行装置１と同一であるため、同一部材には同一符合を付して説明を省略する。
【００４９】
図３および図４に示すように、第２の実施形態のラベル発行装置２が備える一時保留部３４は、巻取りローラ２２の周面に圧接される圧接部材としての従動ローラ３５と、この従動ローラ３５の周面を巻取りローラ２２の周面に押圧させるための圧接手段としてのコイルバネ３７とを有している。
【００５０】
一時保留部材２１の一部には、従動ローラ３５に対向する位置に開口部３６が形成されており、この開口部３６を介して、巻取りローラ２２の周面に従動ローラ３５の周面が圧接されている。
【００５１】
従動ローラ３５は、ローラ支持部材（不図示）に設けられた回転軸３５ａに支持されており、ローラ支持部材を介して、巻取りローラ２２に対して近接離間する方向に移動可能に設けられている。従動ローラ３５は、ローラ支持部材を介してコイルバネ３７によって押圧されることで、従動ローラ３５の周面が巻取りローラ２２の周面に当接するように付勢されている。なお、従動ローラ３５は、幅が、使用するシート材５の最大幅よりもやや大きい５４ｍｍ程度で、外径が５ｍｍ程度に形成されている。
【００５２】
また、本実施形態の一時保留部３４は、従動ローラ３５を備える構成が採られたが、従動ローラ３５に限定されるものではなく、例えば、巻取りローラ２２の周面に対して近接離間する方向に移動可能に設けられ、巻取りローラ２２の周面に圧接される圧接部材であれば、必要に応じて他の形状であってもよい。
【００５３】
以上のように構成されたラベル発行装置２において、印字部１２で印字されたシート材５が一時保留部３４に一時的に保留される動作は、上述の一時保留部１４の動作とほぼ同様であるので、簡単に説明する。
【００５４】
一時保留部３４では、シート材５が、巻取りローラ２２と従動ローラ３５とに挟持される。そして、巻取りローラ２２と従動ローラ３５とに挟持されたシート材５は、巻取りローラ２２および従動ローラ３５の回転に伴って良好に進行されて、巻取り空間２１ａ内でシート材５が１周したとき、外周側に巻回されたシート材５の内周面に沿ってシート材５の前端が更に進行し、一時保留部材２１の内周面に沿って円滑に巻き取られる。このとき、巻取りローラ２２が回転することによって、巻取り空間２１ａに巻回されたシート材５の最内周側に位置するシート材５の前端が、シート材５の内周側に沿って押し込まれて巻き取られる。
【００５５】
この一時保留部３４では、例えば、幅２８ｍｍから５２ｍｍ程度のシート材５が一時保留部材２１内に巻き取られることで、巻取り空間２１ａ内で４周程度が円滑に巻回され、長さが３５０ｍｍ程度のシート材５が良好に巻き取られた。
【００５６】
また、一時保留部３４は、シート材５が切断部１３によって切断されて所望の長さのシート材５が保留された後、一時保留部１４の一対の搬送ローラ１８ａ，１８ｂおよび巻取りローラ２２、従動ローラ３５が同期して共に逆転方向に駆動されることで、シート材５が一時保留部３４から熱活性化部１５に搬送される。  本実施形態のラベル発行装置２によれば、シート材５を巻き取る巻取りローラ２２に圧接される従動ローラ３５を有する一時保留部３４を備えることによって、シート材５が巻取りローラ２２と従動ローラ３５とで挟持されることで、シート材５の巻取り動作の信頼性を更に向上することができる。このため、この一時保留部３４によれば、巻取り空間２１ａ内にシート材５が更に円滑に巻き取られ、一時保留部材２１内に巻き取られるシート材５の長さが更に延長される。
【００５７】
また、上述した一時保留部材２１は、巻取り空間２１ａ内の巻取りローラ２２を外方に露出可能に、例えば図３中の破線Ｄで示すように、上構成部材と下構成部材とに分割可能に構成されるのが好ましい。この構成によれば、一時保留部材２１内に巻き取られるシート材５に、いわゆる紙詰まり等の不具合が生じた場合であっても、一時保留部材のみを分解することで、巻取りローラ２２が露出されて、不具合を速やかに解消することが可能になり、一時保留部のメンテナンスの作業性を向上することができる。
【００５８】
なお、本実施形態では、感熱性印字層を有するシート材５を一例として挙げたが、例えばインクジェット記録方式によってインク滴が印字層に付着・吸収されて印字されたシート材を一時保留するために適用されてもよいことは勿論である。
【００５９】
また、本発明に係るプリンタとしては、上述のラベル発行装置を挙げたが、感熱性粘着層を有するシート材を用いる構成に限定されるものでなく、例えば、印字されたシート材を一時的に保留した後に一時保留部から排出する構成に適用されてもよい。
【図面の簡単な説明】
【００６０】
【図１】前記ラベル発行装置を模式的に示す側面図である。
【図２】一時保留部を示す斜視図である。
【図３】第２の実施形態のラベル発行装置を模式的に示す側面図である。
【図４】他の一時保留部を示す斜視図である。
【符号の説明】
【００６１】
１  ラベル発行装置
５  シート材
１１  シート供給部
１２  印字部
１３  切断部
１４  一時保留部
１５  熱活性化部
１８ａ，１８ｂ  搬送ローラ
２１  一時保留部材
２１ａ  巻取り空間
２２  巻取りローラ
２７  コイルバネ
２８  回転駆動機構
【図１】
0004767693.tif 000002
【図２】
0004767693.tif 000003
【図３】
0004767693.tif 000004
【図４】
0004767693.tif 000005